(57)【要約】【課題】洗濯機において、洗濯開始時やすすぎ時に洗濯槽内に水が給水される際、洗濯槽内の上部にある衣類に水が当たると洗濯槽の外部に水が飛散する課題があった。また、洗濯開始時に粉末洗剤が十分に溶解されない状態で給水された場合、粉末洗剤が塊の状態で給水ノズル内に残ることがあり、粉末洗剤の塊が蓄積して給水ノズルの詰まりやカビの発生原因となる課題があった。【解決手段】入水口と出水口を有し、前記出水口は長手方向の長さが幅の３倍以上の細長い形状に開口し、前記入水口と前記出水口の間の経路の壁面内側に設けられ、水流の方向に対して略垂直な方向に沿って張り出した第１の凸部と、前記第１の凸部の下流の前記第１の凸部の設けられた壁面に相対する壁面内側に設けられた第２の凸部とを備えた給水ノズルとした。【選択図】図１
2009232992.tif 000002
【特許請求の範囲】
【請求項１】
入水口と出水口を有し、前記出水口は長手方向の長さが幅の３倍以上の細長い形状に開口し、前記入水口と前記出水口の間の経路の壁面内側に設けられ、水流の方向に対して略垂直な方向に沿って張り出した第１の凸部と、前記第１の凸部の下流の前記第１の凸部の設けられた壁面に相対する壁面内側に設けられた第２の凸部とを備えたことを特徴とする洗濯機の給水ノズル。
【請求項２】
前記出水口は、前記第１の凸部の設けられた側の縁が、前記第２の凸部の設けられた側の縁よりも低い位置に配置されることを特徴とする請求項１に記載の洗濯機の給水ノズル。
【請求項３】
前記出水口は、前記第１の凸部の設けられた側の縁が開口の外側に向けて湾曲していることを特徴とする請求項１と請求項２に記載の洗濯機の給水ノズル。
【請求項４】
前記出水口は、開口の長手方向の両端に、前記第１の凸部の設けられた側から前記第２の凸部の設けられた側に向けて屈曲して開口する端部開口部を有することを特徴とする請求項１から請求項３に記載の洗濯機の給水ノズル。
【請求項５】
前記入水口に流入する水流の方向を前記出水口から流出する方向に向ける水流方向変更部を有することを特徴とする請求項１から請求項４に記載の洗濯機の給水ノズル。
【請求項６】
前記第2の凸部の設けられた壁面内側に水流の方向を矯正する水流矯正板を備えたことを特徴とする請求項１から請求項５に記載の洗濯機の給水ノズル。
【請求項７】
前記水流方向変更空間の前記入水口からの接続口に水流を受けて開口する逆止弁を備えたことを特徴とする請求項１から請求項６に記載の洗濯機の給水ノズル。
【請求項８】
洗濯物の出し入れ口を有する本体と、前記本体内に配置され、前記出し入れ口に対向する開口部を有する洗濯槽と、前記洗濯槽内に回転自在に設けられた洗濯兼脱水槽と、前記洗濯槽を前記本体の四隅から吊り下げる吊り下げ部と、乾燥工程時に前記洗濯槽内に温風を吹き込む温風送風手段と、前記出し入れ口と前記洗濯槽の気密を確保するシール手段とを備えたことを特徴とする請求項１から請求項７に記載の洗濯乾燥機。
【請求項９】
前記吊り下げ部を上下に移動させて前記洗濯槽の前後方向の傾斜角度を変える洗濯槽上下駆動機構を備えたことを特徴とする請求項８に記載の洗濯乾燥機。
【発明の詳細な説明】
【技術分野】
【０００１】
本発明は、洗濯機の給水ノズルに関するものである。
【背景技術】
【０００２】
洗濯機において、洗濯開始時やすすぎ時に洗濯槽内に水が給水される際、洗濯槽内の上部にある洗濯物に水が当たると洗濯槽の外部に水が飛散する課題があった。これを解決するために、給水ノズルに多数の小径穴を配してシャワー状に給水可能とし、水の飛散を防止する構成が提案されている（例えば、特許文献１）。また、給水ノズル内にフィルタを装着して水流を弱めることにより水の飛散を防止する構成が提案されている（例えば、特許文献２）。
【０００３】
【特許文献１】特開昭６０−１７６６９２
【特許文献２】特開昭６０−１９４９９１
【発明の開示】
【発明が解決しようとする課題】
【０００４】
しかしながら、上記特許文献１、特許文献２においては、洗濯開始時に粉末洗剤が十分に溶解されない状態で給水された場合、粉末洗剤が塊の状態で給水ノズル内に残ることがあり、粉末洗剤の塊が蓄積して給水ノズルの詰まりやカビの発生原因となる課題があった。
【０００５】
本発明は上記課題に対応するものであり、洗濯開始時やすすぎ時に洗濯槽内に水が給水される際、洗濯槽内の上部にある洗濯物に水が当たっても洗濯槽の外部に水が飛散することがなく、また、粉末洗剤詰まりのない給水ノズル、および前記給水ノズルを備えた洗濯機を提供するものである。
【課題を解決するための手段】
【０００６】
本発明に係る給水ノズルは前記課題を解決するものであり、入水口と出水口を有し、前記出水口は長手方向の長さが幅の３倍以上の細長い形状に開口し、前記入水口と前記出水口の間の経路の壁面内側に設けられ、水流の方向に対して略垂直な方向に沿って張り出した第１の凸部と、前記第１の凸部の下流の前記第１の凸部の設けられた壁面に相対する壁面内側に設けられた第２の凸部とを備えたものである。
【発明の効果】
【０００７】
本発明の洗濯機の給水ノズルは、入水口と出水口を有し、前記出水口は長手方向の長さが幅の３倍以上の細長い形状に開口し、前記入水口と前記出水口の間の経路の壁面内側に設けられ、水流の方向に対して略垂直な方向に沿って張り出した第１の凸部と、前記前記第１の凸部の下流の前記第１の凸部の設けられた壁面に相対する壁面内側に設けられた第２の凸部とを備えたため、水が前記出水口の長手方向に広げられ、幅広い水流による給水が可能となる。これにより、洗濯物の水の当たる部分の受ける単位面積あたりの荷重が減少するため、洗濯開始時やすすぎ時に洗濯槽内に水が給水される際、洗濯槽内の上部にある洗濯物に水が当たっても洗濯槽の外部への水の飛散が少なくなる。また、給水ノズル内部に固形物を堰き止める構造体がないため、溶解されずに流出した粉末洗剤の蓄積による詰まりの課題を解決できる。
【発明を実施するための最良の形態】
【０００８】
実施の形態１．
図１は本発明の実施の形態１の洗濯機の給水ノズルの斜視図、図２は同正面図、図３は同側面図、図４は同底面図、図５は同給水ノズルを分割した状態の底面図である。
【０００９】
図において、給水ノズル１は入水口２から流入した水を出水口３より出水する。入水口２は直径３５ｍｍの円筒を水平に配置した入水管４の端部に設けられている。入水管４は直方体の水流方向変更部５の背面側に一部入り込む状態に接続されており、接続口６は上向きに３°の傾斜が設けられている。接続口６にはゴム製の逆止弁７が設けられており、水が流入しない状態では接続口６は閉塞されているが、水が流入すると水流の勢いにより逆止弁７が力を受け、接続口６の上部に設けられた弁取付部８を支点に回動し接続口６を開口する。
【００１０】
水流方向変更部５の下側には断面が長径６０ｍｍ、短径２５ｍｍの略楕円形状の出水管９が接続されている。出水管９の前壁１０の上部には出水管９の長手方向に沿って内側に張り出した第１の凸部１１が設けられ、後壁１２には壁面の中央部が前壁１０側に向かって傾斜して張り出した第２の凸部１３が、第１の凸部１１の下流に設けられている。
【００１１】
出水口３の開口形状は図４に示すように、略楕円の長径方向の円弧の中央付近を前壁１０の方向に潰した形状であり、図４のＡに示す開口の中央部は幅８ｍｍで、図４のＢに示す略同幅の開口部分の長さは約４０ｍｍとなっている。出水口３の開口の左右の端部には図４のＣに示す幅が１０ｍｍの端部開口部１４が開口しており、出水口３の開口形状は前壁１０側から後壁１２側に向けて屈曲した略コの字形となっている。また、端部開口部１４は前壁１０側から円弧で滑らかに連結されており、先端は丸く形成されている。
【００１２】
給水ノズル１はポリプロピレンなどの樹脂材料からなり、図４のＤＤ'に示した分割線によって分けられる２つの部品によって構成される。図５は給水ノズル１を前後に２分割した状態である。このような分割構成とすることにより、部品点数を少なくすることができ、製作が容易となる。
【００１３】
次に、給水ノズル１内部の水の流れについて、図６から図９を参照しながら説明する。図６は給水ノズル１の水流の状態を示した斜視説明図、図７は同側面説明図、図８は同正面説明図である。図中、水流を矢印で模擬的に示す。また、破線Ｅは水流方向変更部５内に溜まる水の表面状態を示す。
【００１４】
図６に示すように、入水口２から流入した水は入水管４を通り、逆止弁７を開口して、水流方向変更部５に流入する。水流方向変更部５内では、水は破線Ｅに示すように溜まりながら、下部の出水管９に流れる。このときの水の水位は流量により変わる。出水管９の上部から下に向かう水は、図６、図７に示すように第１の凸部１１により、後壁１２に向けて流れを変える。その後、後壁１２に沿って落下した後、第２の凸部１３によって前壁１０に向けて流れを変える。第２の凸部１３は後壁１２の中央部分が傾斜して前壁１０側に張り出した形状となっているため、水は前壁１０の内側前面に押し当てられるように流れ、前壁１０の左右方向全域に亘って広がり出水口３から流出する。
【００１５】
また、前壁１０の下端、つまり出水口３の縁の前側部分は、後壁１２の下端、つまり第２の凸部下端よりも下に位置するよう構成されているため、後壁１２側から前壁１０側に向かって流れる水は出水口３から流出する時点で下向きの水流に矯正される。
【００１６】
第２の凸部１３によって、前壁１０に当たった水は左右方向にも広がるため、水の流量が多くなると、図８に示すように出水口３の前側から両端の終端開口部１４に向かう流れが増加する。終端開口部１４は出水口３の中央付近の開口幅よりも広く構成しているため、水の流量の増加が生じても、流出する水流の幅は出水口３の左右方向の開口幅から大きく広がることがない。
【００１７】
また、終端開口部１４は前壁１０側から円弧で滑らかに連結されて、先端が丸く形成されているため、前壁１０側から回り込んだ水は終端開口部１４の外側から内側に渦巻くように旋回しながら流出する。
【００１８】
図９は給水ノズル１から給水される水流の概略形状を示した説明図であり、図９（ａ）は流量毎分１８リットルの水流、図９（ｂ）は流量毎分５リットルの水流、図９（ｃ）は流量毎分２リットルの水流の状態を示す。図９（ａ）に示すように水流Ｆは給水ノズル１の出水口３の幅とほぼ同じ幅に広がった水流となり、水流の幅の広い部分の長さＩは約４０ｃｍとなる。図９（ｂ）に示す水流Ｇは流量が少ないため、水流Ｆよりも幅の狭い水流となるが、水が出水口３の前壁１０側に当たってから流出する効果により、水流の幅の広い水流は維持され、その長さＪは約３０ｃｍとなる。図９（ｃ）に示す水流Ｈはさらに少ない流量における水流であり、水流の広い部分の長さＫは約１０ｃｍと短くなる。
【００１９】
一般に管路に流れる水の流量が少ない場合、水流の断面積が管路の断面積に占める割合が小さくなり、水は管路内で広がらずに断面積が小さい水流となり易い。本実施の形態１の給水ノズル１は、前述の構成のように一対の対抗する凸部を水流の方向に位置をずらして配置することにより、流量の少ない場合でも安定的に水流の幅を広げることが可能となる。
【００２０】
以上のように、本実施の形態１の給水ノズルの構成とすることにより、幅の広い水流による給水が可能となり、洗濯物の水の当たる部分の受ける単位面積あたりの荷重が、水流が広がらないときよりも低減する。したがって、水が洗濯物に当たった際の水の飛散が低減する。
【００２１】
実施の形態２．
実施の形態２は実施の形態１における水流方向変更部の構成が異なる形態であり、図１０は本発明の実施の形態２の洗濯機の給水ノズルの斜視図、図１１は同正面図、図１２は同側面図、図１３は同底面図、図１４は同給水ノズルを分割した状態の底面図である。
【００２２】
図において、実施の形態１と同一の部分には同一符号を付し説明を省略する。
本実施の形態２の給水ノズル１５は、図１０に示すように、水平断面形状が６角形の水流方向変更部１６に入水管４が左側面後方側から接続する構成となっている。また、出水管９の後壁１２内側の入水管４の反対側の位置に、幅約９ｍｍ、長さ３７ｍｍ、厚み１ｍｍの水流矯正板１７が設けられており、水流矯正板１７は鉛直方向に対して約２５°傾斜して下端が給水ノズル１５の中央寄りに向いている。
【００２３】
給水ノズル１５は図１３のＬＬ'に示した分割線によって分けられる２つの部品によって構成される。図１４は給水ノズル１を前後に２分割した状態である。このような分割構成とすることにより、入水口４が水流方向変更部１６に対して斜めに接続する構成としても、部品点数が増えることがないため、製作が容易となる。
【００２４】
図１５は図１１の給水ノズル１５の正面図における水流の状態を示した正面説明図であり、図中、水流を矢印で模擬的に示す。破線Ｍは水流方向変更部１６内に溜まる水の表面状態を示す。入水管４は水流方向変更部１６の左側面後方に接続されているため、水流方向変更部１６に流入する水は出水管９の右側に偏って多く流れる。水流矯正板１７はこの右側に偏って流れる水流の一部を左側に向かうよう矯正する。水流矯正板１７は前壁１０との間、および出水管９の右端との間に隙間を設けて配置されており、右側に流れる水流の全てを左側に向かうようには矯正しないため、出水口３において左右方向に均一に広がる水流となる。
【００２５】
入水管４が水流方向変更部１６の左側面後方に接続されて、水が出水管９の右側に偏って流れる状況であっても、前壁１０に設けられた第１の凸部１１と、後壁１２に設けられた第２の凸部１３の作用による出水口３から流出する水流の幅を広げる効果は得られ、水流矯正板１７による左右方向に均一に水流を広げる効果と両方の効果が得られる。
【００２６】
本実施の形態２における水流矯正板１７は形状を幅約９ｍｍ、長さ３７ｍｍ、厚み１ｍｍとし、傾斜角度を鉛直方向に対して約２５°に構成しているが、これに限ったものでなく、入水管４の接続方向や水流方向変更部の形状によっては、これらに適した形状や傾斜角度とすることにより、幅の広い安定した水流を得ることができる。
【００２７】
実施の形態３．
図１６はこの発明の実施の形態３の洗濯機の洗濯槽が傾斜状態にある場合の側面断面図、図１７は同洗濯機の蓋を開口した状態における平面図、図１８は同洗濯機の洗濯槽が水平状態にある場合の側面断面図である。
【００２８】
洗濯機１８は、本体１９内に洗濯槽２０が吊り下げ支持された構成となっている。洗濯槽２０は、ばね部材（図示せず）とゴム部材（図示せず）と吊りワイヤ２１ａで構成された４組の吊り下げ部２１によって本体１９の四隅から吊り下げ状態で防振支持されている。また、各吊り下げ部２１の上部には、それぞれ各吊り下げ部２１の吊りワイヤ２１ａの長さを変化させる４組の洗濯槽上下駆動機構２２が配置されており、洗濯槽上下駆動機構２２よる吊りワイヤ２１ａの巻き上げ動作、および送り出し動作によって洗濯槽２０は本体１９内を上下動可能となっている。
【００２９】
また、洗濯槽２０内には、洗濯物を収容する洗濯兼脱洗濯槽２３が回転自在に配置されており、洗濯兼脱洗濯槽２３の底部には攪拌翼２４が回転自在に配設されている。洗濯槽２０の下部には、ＤＣモータ２５、ギア２６、クラッチ（図示せず）等を含む駆動部（図示せず）が配置されており、駆動部はクラッチの切り替えにより、洗濯兼脱洗濯槽２３と攪拌翼２４の回転軸２４ａのいずれかに駆動力を伝達する構成となっている。また、本体１９の前面には、洗濯物を出し入れする出し入れ口２７が設けられ、蓋２８によって開閉される。
【００３０】
洗濯槽２０は、槽開口部２０ａが本体１９の出し入れ口２７に対向するように本体１９内に配置されており、槽開口部２０ａと出し入れ口２７ の間には、気密を確保するためのシール構造２９が設けられている。シール構造２９は、出し入れ口２７の外周部に設けられたリング状の弾性体（ゴム蛇腹）３０と、弾性体３０下端に設けられた磁性体３１と、洗濯槽２０上部に設けられた磁性体３１に吸着する金属プレート３２とで構成されている。
【００３１】
本体１９ 内の後方には乾燥循環風路３３が設けられている。乾燥循環風路３３は、一方が槽開口部２０ａ上部に設けられた送風口３４に開口し、他方が洗濯兼脱水槽２３の側面に設けられた吸気口３５に開口しており、一部伸縮揺動可能な弾性体（ゴム蛇腹）からなる伸縮ホース３６で構成されている。また、乾燥循環風路３３内には、洗濯物を乾燥する温風送風手段３７と除湿機３８が配置されている。
【００３２】
水道からのホースを接続する給水弁３９は、図１６、図１７に示すように、本体１９の後方上部に配置され、給水弁３９の下流には、引き出し可能な洗剤ケース４０が設けられている。水は給水弁３９から給水されて洗剤ケース４０上部に滴下され、溶解した洗剤とともに給水管４１を通って、給水ノズル１５に左方向より流入する。そして、給水ノズル１５により幅広い水流となって洗濯兼脱水槽２３内に給水される。給水ノズル１５は後方に傾斜して設置されており、洗濯兼脱水槽２３の後方に向かって給水される。
【００３３】
次に、洗濯機１８の洗濯、すすぎ、脱水、乾燥の各工程における動作について説明する。
洗濯工程に入る前の初期設定時は、洗濯槽上下駆動機構２２の吊りワイヤ２１ａの巻き上げ動作によって、洗濯槽２０は図１６に示すように前側に傾斜した状態となる。洗濯物が洗濯兼脱水槽２３内に投入された後、使用者による始動操作を受けて、撹拌翼２４を回転させての洗濯物重量検知を実施する。その後、給水弁３９を開栓し、水を給水する。水は洗剤ケース４０に投入された洗剤を溶解させながら給水管４１を経由して給水ノズル１５に流入する。
【００３４】
水は給水ノズル１５の入水口２から流入すると、図１７に示すように入水管４を通り、逆止弁７を開口しながら水流方向変更部１６に流入する。やがて、水流方向変更部１６内で図１７の破線Ｍに示すような水位に溜まりながら、接続口６から出水管９に流れ込む。ここで、給水ノズル１５において入水管４は出水管９の左側後方に接続されているため、水は出水管９の右側に多く流れ込むが、水流矯正板１７の作用により出水管９の左右方向に均一な水流となる。給水管９に流れ込んだ水は給水ノズル１５の前壁１０内側に設けられた第１の凸部によって、後壁１２側に向けて流れを変え、その後、後壁１２に沿って落下した後、第２の凸部１３によって前壁１０に向けて流れを変える。第２の凸部１３は後壁１２の中央部分が傾斜して前壁１０側に張り出した形状となっているため、水は前壁１０の内側前面に押し当てられるように流れ、前壁１０の左右方向全域に亘って広がり出水口３から流出する。
【００３５】
給水ノズル１５の出水口３から給水される幅広い水流は、洗濯物の水の当たる部分の受ける単位面積あたりの荷重が小さいため、水が洗濯物に当たっても水の飛散が少なくなる。また、給水される水の流量が毎分１８リットルの水流においても、水流の幅広い部分の長さが約４０ｃｍ保持されるため、洗濯兼脱水槽２３に投入された洗濯物のかさによらず、水の飛散が少なくなる。
【００３６】
また、粉末洗剤が使用されて溶解されずに洗剤ケース４０より塊で流出した場合でも、給水ノズル１５内部に固形物を堰き止める構造体がないため、詰まりが発生することがない。
【００３７】
給水終了後、所定の洗濯制御シーケンスに基づいたＤＣモータ２５の駆動により、攪拌翼２４が往復の撹拌動作を行い、洗濯物の洗濯を行う。このとき、洗濯槽２０は前側に傾斜した状態で運転される。撹拌翼２４の撹拌動作によって発生する洗濯兼脱水槽２３内の水流は、洗濯槽２０の傾斜の効果により複雑になるため、洗濯物の洗浄効果が向上する。
【００３８】
洗濯終了後、排水弁（図示せず）が開口されて、洗濯槽２０内の水は排水ホース（図示せず）から排水される。洗濯後のすすぎ工程に移る際、洗濯物に残った洗濯水を除去する脱水運転が行われる。
【００３９】
脱水運転は洗濯槽２０を水平状態にして行うため、洗濯槽上下駆動機構２２の吊りワイヤ２１ａを送り出し、洗濯槽２０を下方に移動する。このとき弾性体３０は伸びて追従するが、洗濯槽２０が所定距離移動したところで、磁性体３１が金属プレート３２から外れ、シール構造２９と洗濯槽２０が切り離される。やがて、洗濯槽２０は図１８に示すように水平な状態となる。弾性体３０は自己保持力により元の形状に戻る。
【００４０】
洗濯兼脱水槽２３を水平な状態で脱水運転することは、洗濯兼脱水槽２３内の洗濯物の偏りの低減や、回転軸の鉛直化による重力の影響の低減などの効果があり、脱水回転の効率が向上する。
【００４１】
洗濯槽２０内の水がほぼ排水された後、ＤＣモータ２５の駆動力はクラッチの切り替えにより、洗濯兼脱水槽２３に伝達され、洗濯兼脱水槽２３の高速回転により脱水が行われる。
【００４２】
脱水運転終了後、水を給水して洗濯物にかけながら洗濯兼脱水槽２３を回転させる。これにより効果的なすすぎが可能となる。図１８に示すように洗濯槽２０が水平な状態において、給水ノズル１５より給水を行うと、水は洗濯脱水槽２０の後方に向かう。脱水運転後の洗濯兼脱水槽２３内部の洗濯物は遠心力を受けて、洗濯兼脱水槽２３の側面に張り付いた状態となっているため、洗濯兼脱水槽２３の後方への給水が行われることにより、すすぎの効率が向上する。
【００４３】
また、洗濯槽２０が水平な状態では給水ノズル１５と洗濯兼脱水槽２３までの距離が離れるが、給水ノズル１５からの給水の水流の幅広い部分は長く保持されるため、水が洗濯物に当たっても水の飛散が少なくなる。
【００４４】
本実施の形態３における洗濯機１８は洗濯槽２０が傾斜可能な構成となっているため、給水ノズル１５は洗濯槽２０の位置が変わった場合でも、確実に洗濯兼脱水槽２３内に給水される位置に配置されている。
【００４５】
洗濯槽２０に十分水が給水された後に、ＤＣモータ２５の駆動力はクラッチの切り替えにより、再び撹拌翼２４の駆動軸２４ａに伝達され、所定のすすぎ制御シーケンスに基づいたＤＣモータ２５の駆動により、攪拌翼２４が往復の撹拌動作を行い、洗濯物のすすぎを行う。
【００４６】
すすぎ工程と脱水工程の後、乾燥工程に移り、撹拌翼２４による撹拌と洗濯脱水槽２３の回転を交互に組み合わせた乾燥運転が行われる。乾燥工程では、再び洗濯槽２０を傾斜状態とし、シール構造２９により洗濯槽２０を連結して乾燥循環風路３３との間に循環風路を形成する。シール構造２９による洗濯槽２０との連結は、洗濯槽上下駆動機構２２の吊りワイヤ２１ａの巻き上げ動作によって、洗濯槽２０を引き上げられることで行われる。このとき、洗濯槽２０上部の金属プレート３２がシール構造２９に近接すると磁性体３１が吸着して気密が確保される。
【００４７】
乾燥工程では、温風送風手段３７によって暖められた空気が送風口３４から洗濯兼脱水槽２３内に導風される。そして、洗濯兼脱水槽２３内の洗濯物に当たり、湿気を含んだ空気となって吸気口３５から吸気され、除湿機３７を通過する際に除湿されて乾燥空気となり、温風送風手段３７で再度加熱されて洗濯兼脱水槽２３内に戻される。この繰り返しを撹拌翼２４の撹拌と洗濯兼脱水槽２３の回転と組み合わせて行うことにより洗濯物が乾燥する。
【００４８】
給水ノズル１５内に設けられた逆止弁７は、給水時は水流により開口するが、水流のない乾燥工程においては接続口６を閉塞するため、給水ノズル１５を介して乾燥時の空気が外部に漏れ出すことを防止する。
【００４９】
乾燥工程で洗濯物から発生する微細繊維（リント）は乾燥循環風路３４内の温風送風手段３７の風路の上流側に挿抜可能に構成されたフィルタ（図示せず）により捕集される。また、乾燥循環風路３３を構成する伸縮ホース３６は、洗濯槽２０の傾斜動作に伴って伸縮して乾燥風路を確保する。
【００５０】
また、伸縮ホース３６とシール構造２９は弾性体で構成されているため、洗濯兼脱水槽２３の振動を本体１９に伝達しにくく、振動や騒音の少ない洗濯機となっている。
【図面の簡単な説明】
【００５１】
【図１】実施の形態１の洗濯機の給水ノズルの斜視図。
【図２】実施の形態１の洗濯機の給水ノズルの正面図。
【図３】実施の形態１の洗濯機の給水ノズルの側面図。
【図４】実施の形態１の洗濯機の給水ノズルの底面図。
【図５】実施の形態１の洗濯機の給水ノズルを分割した状態の底面図。
【図６】実施の形態１の洗濯機の給水ノズル１の水流の状態を示した斜視説明図。
【図７】実施の形態１の洗濯機の給水ノズル１の水流の状態を示した側面説明図。
【図８】実施の形態１の洗濯機の給水ノズル１の水流の状態を示した正面説明図。
【図９】実施の形態１の洗濯機の給水ノズル１から給水される概略形状を示した説明図であり、流量毎分（ａ）１８，（ｂ）５、（ｃ）２リットルの水流の概略形状を示す。
【図１０】実施の形態２の洗濯機の給水ノズルの斜視図。
【図１１】実施の形態２の洗濯機の給水ノズルの正面図。
【図１２】実施の形態２の洗濯機の給水ノズルの側面図。
【図１３】実施の形態２の洗濯機の給水ノズルの底面図。
【図１４】実施の形態２の洗濯機の給水ノズルを分割した状態の底面図。
【図１５】図１１の給水ノズル１５の正面図における水流の状態を示した正面説明図。
【図１６】実施の形態３の洗濯機の洗濯槽が傾斜状態にある場合の側面断面図。
【図１７】実施の形態３の洗濯機の蓋を開口した状態における平面図。
【図１８】実施の形態３の洗濯機の洗濯槽が水平状態にある場合の側面断面図
【符号の説明】
【００５２】
１  給水ノズル、２  入水口、３  出水口、４  入水管、５水流方向変更部、６  接続口、７  逆止弁、８  弁取付部、９  出水管、１０  前壁、１１  第１の凸部、１２  後壁、１３  第２の凸部、１４  端部開口部、１５  給水ノズル、１６  水流方向変更部、１７  水流矯正板、１８  洗濯機、１９  本体、２０  洗濯槽、２０ａ  槽開口部、２１  吊り下げ部、２１ａ  吊りワイヤ、  ２２  洗濯槽上下駆動機構、２３  洗濯兼脱洗濯槽、２４  攪拌翼、２４ａ  駆動軸、２５  ＤＣモータ、２６  ギア、２７  出し入れ口、２８  蓋、２９  シール構造、３０  弾性体、３１  磁性体、３２  金属プレート、３３  乾燥循環風路、３４  送風口、３５  吸気口、３６  伸縮ホース、３７  温風送風手段、３８  除湿機、３９  給水弁、４０  洗剤ケース、４１  給水管
【図１】
2009232992.tif 000003
【図２】
2009232992.tif 000004
【図３】
2009232992.tif 000005
【図４】
2009232992.tif 000006
【図５】
2009232992.tif 000007
【図６】
2009232992.tif 000008
【図７】
2009232992.tif 000009
【図８】
2009232992.tif 000010
【図９】
2009232992.tif 000011
【図１０】
2009232992.tif 000012
【図１１】
2009232992.tif 000013
【図１２】
2009232992.tif 000014
【図１３】
2009232992.tif 000015
【図１４】
2009232992.tif 000016
【図１５】
2009232992.tif 000017
【図１６】
2009232992.tif 000018
【図１７】
2009232992.tif 000019
【図１８】
2009232992.tif 000020